(57)【要約】【課題】プラント制御装置と保守端末との通信手段を介して行われる外部との通信接続を的確に切断しセキュリティを確保できるプラント制御装置の保守システムを得る。【解決手段】プラント制御装置１の保守を行う保守端末２を備えたものにおいて、プラント制御装置１と保守端末２間のデータの送受信を行う通信手段５と、プラント制御装置１の異常を検出する制御装置異常検出手段４と、通信手段５を切離す切替手段３とを設け、プラント制御装置１の異常を検出すると、切替手段３により、保守端末２とプラント制御装置１を物理的に切離すようにした。【選択図】        図１
2004326372.tif 000002
【特許請求の範囲】
【請求項１】
プラント制御装置の保守を行う保守端末を備えたものにおいて、前記プラント制御装置と前記保守端末間のデータの送受信を行う通信手段と、前記プラント制御装置の異常を検出する制御装置異常検出手段と、前記通信手段を切離す切替手段とを設け、前記プラント制御装置の異常を検出すると、前記切替手段により、前記保守端末と前記プラント制御装置を物理的に切離すことを特徴とするプラント制御装置の保守システム。
【請求項２】
前記プラント制御装置と前記保守端末間のデータの送受信を行う第１の通信手段と、回線を介して所定の通信先と保守端末間のデータの送受信を行う第２の通信手段と、前記第１の通信手段および第２の通信手段を切離す切替手段を有し、通常運転時において前記保守端末は前記切替手段による前記第２の通信手段の切離しにより前記所定の通信先とは物理的に切離された状態で前記プラント制御装置のみと接続されてデータの送受信を行い、前記プラント制御装置の異常を検出すると、前記切替手段による前記第１の通信手段の切離しにより前記保守端末と前記プラント制御装置を物理的に切離し、前記保守端末と前記所定の通信先を接続するように切替えることを特徴とする請求項１に記載のプラント制御装置の保守システム。
【請求項３】
前記プラント制御装置と前記保守端末間のデータの送受信を行う第１の通信手段と、公衆回線を介して所定の通信先と保守端末間のデータの送受信を行う第２の通信手段と、前記第１の通信手段および第２の通信手段を切離す切替手段を有し、通常運転時において前記保守端末は前記切替手段による前記第２の通信手段の切離しにより前記所定の通信先とは物理的に切離された状態で前記プラント制御装置のみと接続されてデータの送受信を行い、前記プラント制御装置の異常を検出すると、前記切替手段による前記第１の通信手段の切離しにより前記保守端末と前記プラント制御装置を物理的に切離し、前記保守端末と前記所定の通信先を接続するように切替えることを特徴とする請求項１に記載のプラント制御装置の保守システム。
【請求項４】
前記プラント制御装置と前記保守端末間のデータの送受信を行う第１の通信手段と、ネットワークを介して所定の通信先と保守端末間のデータの送受信を行う第２の通信手段と、前記第１の通信手段および第２の通信手段を切離す切替手段を有し、通常運転時において前記保守端末は前記切替手段による前記第２の通信手段の切離しにより前記所定の通信先とは物理的に切離された状態で前記プラント制御装置のみと接続されてデータの送受信を行い、前記プラント制御装置の異常を検出すると、前記切替手段による前記第１の通信手段の切離しにより前記保守端末と前記プラント制御装置を物理的に切離し、前記保守端末と前記所定の通信先を接続するように切替えることを特徴とする請求項１に記載のプラント制御装置の保守システム。
【請求項５】
複数のプラント制御装置の保守を行う保守端末を備えたものにおいて、前記複数のプラント制御装置と前記保守端末間のデータの送受信を行う第１の通信手段と、回線を介して所定の通信先と保守端末間のデータの送受信を行う第２の通信手段と、前記第１の通信手段および第２の通信手段を切離す切替手段を有し、通常運転時において前記保守端末は前記切替手段による前記第２の通信手段の切離しにより前記所定の通信先とは物理的に切離された状態で前記プラント制御装置のみと接続されてデータの送受信を行い、前記複数のプラント制御装置のいずれかにおける異常を検出すると、前記切替手段による前記第１の通信手段の切離しにより前記保守端末と前記複数のプラント制御装置を物理的に切離し、前記保守端末と前記所定の通信先を接続するように切替えることを特徴とする請求項１に記載のプラント制御装置の保守システム。
【請求項６】
プラント制御装置とデータの送受信を行う保守端末によって前記プラント制御装置の保守を行うにあたり、前記保守端末が所定の通信先と通信を行う場合には、前記プラント制御装置と前記保守端末とを物理的に切離した後、前記保守端末と所定の通信先との通信を行うようにしたことを特徴とするプラント制御装置の保守方法。
【請求項７】
プラント制御装置とデータの送受信を行う保守端末によって前記プラント制御装置の保守を行うにあたり、前記プラント制御装置の異常を検出した場合に、前記プラント制御装置と前記保守端末とを物理的に切離した後、前記保守端末と所定の通信先との通信を行うようにしたことを特徴とするプラント制御装置の保守方法。
【請求項８】
プラント制御装置とデータの送受信を行うとともに、所定の通信先と通信を行う保守端末によって前記プラント制御装置の保守を行うにあたり、前記プラント制御装置の通常運転時には前記保守端末と前記所定の通信先とを物理的に切離すとともに、前記プラント制御装置の異常を検出した場合に、前記プラント制御装置と前記保守端末とを物理的に切離した後、前記保守端末と所定の通信先との通信を行うようにしたことを特徴とするプラント制御装置の保守方法。
【発明の詳細な説明】
【０００１】
【発明の属する技術分野】
この発明は、プラント制御装置の保守システムおよび保守方法、特に、原子力プラント等、セキュリティ上の問題からプラント制御装置に接続している保守端末への接続許可が顧客より得られないプラントシステムにおいて、プラント制御装置の異常発生時に保守端末上の必要データを収集、参照するために、プラント制御装置と保守端末を物理的に切離す保守端末デバイス切替装置に関するものである。
【０００２】
【従来の技術】
従来のプラント制御装置の保守システムにおいては、外部ネットワークと内部ネットワークがプラント制御装置の保守システムを介して物理的に繋がっている（例えば、特許文献１参照）。
【０００３】
【特許文献１】
特開２００２−１６９６１０号公報（第４頁、図１）
【０００４】
【発明が解決しようとする課題】
従来のプラント制御装置の保守システムは、以上のように構成されているので、遠隔通信制御手段や監視制御装置保守手段にセキュリティホールが存在すると、外部から内部ネットワークに侵入される可能性があり、社会的に高度なセキュリティが要求される発電所システムなどには適用できないという問題点があった。
【０００５】
この発明は、前記のような課題を解決するためになされたものであり、プラント制御装置と保守端末との通信手段を介して行われる外部との通信接続を的確に切断しセキュリティを確保できるプラント制御装置の保守システムを得ることを目的とする。
【０００６】
【課題を解決するための手段】
この発明に係るプラント制御装置の保守システムにおいては、プラント制御装置と前記保守端末間のデータの送受信を行う通信手段と、前記プラント制御装置の異常を検出する制御装置異常検出手段と、前記通信手段を切離す切替手段とを設け、前記プラント制御装置の異常を検出すると前記保守端末と前記プラント制御装置を物理的に切離すようにしたものである。
【０００７】
【発明の実施の形態】
実施の形態１．
この発明による実施の形態１を図１に基づいて説明する。図１は実施の形態１における保守端末デバイスの構成を示す機能ブロック図である。
【０００８】
図１において、保守端末２は、プラントの運転制御を行うプラント制御装置１の操作、保守情報や運転状態の収集、蓄積等を実施するものである。
【０００９】
デバイス切替装置６は、プラント制御装置１と保守端末２間のデータの送受信を行う通信手段５、プラント制御装置１の異常を検出する制御装置異常検出手段４、および、プラント制御装置１の異常検出時、プラント制御装置１と保守端末２間のデータの送受信を物理的に切離す切替手段３から構成される。
制御装置異常検出手段４は、プラント制御装置１から接点出力により、プラント制御装置１の異常を検出する。
切替手段３は、制御装置異常検出手段４がプラント制御装置１の異常を検出すると、通信手段５のプラント制御装置１との通信路接続端、および、保守端末２との通信路接続端を物理的に切離す。
【００１０】
次に、動作について説明する。
保守端末２は、プラント制御装置１の通常運転時、プラント制御装置１の操作、保守情報や運転状態の収集、蓄積等を実施するために使用する。
【００１１】
プラント制御装置１に異常が発生すると、プラント制御装置１の接点出力により、制御装置異常検出手段４は異常を検出する。制御装置異常検出手段４がプラント制御装置１の異常を検出すると、切替手段３が、通信手段５のプラント制御装置１との通信路接続端、および、保守端末２との通信路接続端を物理的に切離す。
【００１２】
保守端末２はプラント制御装置１と物理的に切離されているため、保守端末２上に蓄積された異常発生直前までの運転状態の記録等を保守端末２において所定の領域に保存できるようになる。この保存された記録により、異常発生原因の調査、解析等の保守作業が効率的に実施できるようになる。
そして、保守端末２において所定の領域に保存された異常発生直前までの運転状態の記録等は、このように保守端末２がプラント制御装置１と物理的に切離された状態で、外部との通信接続により所定の通信先に送信し送信先で保存することができる。
【００１３】
この発明による実施の形態１によれば、プラント制御装置１の保守を行う保守端末２を備えたものにおいて、前記プラント制御装置１と前記保守端末２間のデータの送受信を行う通信手段５と、前記プラント制御装置１の異常を検出する制御装置異常検出手段４と、前記通信手段５を切離す切替手段３とを設け、前記プラント制御装置１の異常を検出すると、前記切替手段３により、前記保守端末２と前記プラント制御装置１を物理的に切離すようにしたので、プラント制御装置と保守端末との通信手段を介して行われる外部との通信接続を的確に切断しセキュリティを確保できるプラント制御装置の保守システムを得ることができる。
【００１４】
また、この発明による実施の形態１によれば、プラント制御装置１とデータの送受信を行う保守端末２によって前記プラント制御装置の保守を行うにあたり、前記保守端末２がデータ保存先等の所定の通信先と通信を行う場合には、前記プラント制御装置１と前記保守端末２とを物理的に切離した後、前記保守端末と所定の通信先との通信を行うようにしたので、プラント制御装置１と保守端末２との通信手段を介して行われる外部との通信接続を的確に切断しセキュリティを確保できるプラント制御装置の保守方法を得ることができる。
【００１５】
実施の形態２．
この発明による実施の形態２を図２について説明する。図２は実施の形態２における保守端末デバイスの構成を示す機能ブロック図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１６】
前記実施の形態１では、保守端末とプラント制御装置のみの構成について述べたが、この実施の形態２ではプラント制御装置の通常運転時、保守端末はプラント制御装置と接続し、操作、保守情報や運転状態の収集、蓄積等を実施し、保守センタとは公衆回線が物理的に切離されて運転されており、プラント制御装置の異常発生時、保守端末はプラント制御装置と物理的に切離され、保守センタと公衆回線を介して接続し、保守端末上に蓄積された異常発生直前までの運転状態の記録等を保守センタから参照し、異常発生原因の調査、解析等の保守作業を効率的に実施できる。
【００１７】
図２において、保守端末２は、プラントの運転制御を行うプラント制御装置１の操作、保守情報や運転状態の収集、蓄積等を実施するものである。
【００１８】
デバイス切替装置６は、プラント制御装置１と保守端末２間のデータの送受信を行う通信手段５Ａ、保守センタ８と保守端末２間で公衆回線７を介してデータの送受信を行う公衆回線通信手段５Ｂ、プラント制御装置１の異常を検出する制御装置異常検出手段４、および、プラント制御装置１の異常検出時、プラント制御装置１と保守端末２間のデータの送受信を物理的に切離し、保守センタ８と保守端末２間を公衆回線７を介して接続する切替手段３から構成される。
制御装置異常検出手段４は、プラント制御装置１から接点出力により、プラント制御装置１の異常を検出する。切替手段３は、制御装置異常検出手段４がプラント制御装置１の異常を検出すると、通信手段５Ａのプラント制御装置１との通信路接続端、および、保守端末２との通信路接続端を物理的に切離し、公衆回線通信手段５Ｂの公衆回線７との通信路接続端、および、保守端末２との通信路接続端を物理的に接続する。
【００１９】
次に、動作について説明する。
保守端末２は、プラント制御装置１の通常運転時、プラント制御装置１と保守端末２間で通信手段５Ａを介して物理的に接続され、プラント制御装置１の操作、保守情報や運転状態の収集、蓄積等を実施するために使用する。また、プラント制御装置１の通常運転時、保守センタ８と保守端末２間は、公衆回線通信手段５Ｂを介した接続はされておらず、物理的に切断されている。
【００２０】
プラント制御装置１に異常が発生すると、プラント制御装置１の接点出力により、制御装置異常検出手段４は異常を検出する。制御装置異常検出手段４がプラント制御装置１の異常を検出すると、切替手段３が、通信手段５Ａのプラント制御装置１との通信路接続端、および、保守端末２との通信路接続端を物理的に切離す。同時に、切替手段３が、公衆回線通信手段５Ｂの公衆回線７との通信路接続端、および、保守端末２との通信路接続端を接続する。
【００２１】
保守端末２はプラント制御装置１と物理的に切離されているため、保守端末２上に蓄積された異常発生直前までの運転状態の記録等を保守端末２において保存できるようになる。同時に、保守センタ８と保守端末２間は、公衆回線通信手段５Ｂを介して接続され、保守端末２上に保存された記録を保守センタ８から参照できるようになることにより、現地プラントへ行かずとも保守センタ８からメーカ保守員が、異常発生原因の調査、解析等の保守作業を効率的に実施できるようになる。
【００２２】
この発明による実施の形態２によれば、実施の形態１における構成において、前記プラント制御装置１と前記保守端末２間のデータの送受信を行う通信手段５Ａからなる第１の通信手段と、公衆回線７を介して保守センタ８等の所定の通信先と保守端末２間のデータの送受信を行う公衆回線通信手段５Ｂからなる第２の通信手段と、前記第１の通信手段および第２の通信手段を切離す切替手段３を有し、通常運転時において前記保守端末２は前記切替手段３による前記公衆回線通信手段５Ｂからなる第２の通信手段の切離しにより前記保守センタ８等の所定の通信先とは物理的に切離された状態で前記プラント制御装置１のみと接続されてデータの送受信を行い、前記プラント制御装置１の異常を検出すると、前記切替手段３による前記通信手段５Ａからなる第１の通信手段の切離しにより前記保守端末２と前記プラント制御装置１を物理的に切離し、前記保守端末２と前記保守センタ８等の所定の通信先を接続するように切替えるようにしたので、プラント制御装置と保守端末との通信手段を介して行われる外部との通信接続をより的確に切断しセキュリティを確保できるプラント制御装置の保守システムを得ることができる。
【００２３】
また、この発明による実施の形態２によれば、プラント制御装置１とデータの送受信を行うとともに、保守センタ８等の所定の通信先と通信を行う保守端末２によって前記プラント制御装置１の保守を行うにあたり、前記プラント制御装置の通常運転時には前記保守端末２と前記保守センタ８等の所定の通信先とを物理的に切離すとともに、前記プラント制御装置１の異常を検出した場合に、前記プラント制御装置１と前記保守端末２とを物理的に切離した後、前記保守端末２と前記保守センタ８等の所定の通信先との通信を行うようにしたので、プラント制御装置と保守端末との通信手段を介して行われる外部との通信接続をより的確に切断しセキュリティを確保できるプラント制御装置の保守方法を得ることができる。
【００２４】
実施の形態３．
この発明による実施の形態３を図３について説明する。図３は実施の形態３における保守端末デバイスの構成を示す機能ブロック図である。
この実施の形態３において、ここで説明する特有の構成以外の構成については、先に説明した実施の形態１における構成と同一の構成内容を具備し、同様の作用を奏するものである。図中、同一符号は同一または相当部分を示す。
【００２５】
前記実施の形態２では、プラント制御装置、保守端末、および、保守センタの構成について述べたが、実施の形態３では、同様の構成で、プラント制御装置、保守端末、および、社内ネットワークを介した社内情報端末の構成について述べる。
【００２６】
図３において、保守端末２は、プラントの運転制御を行うプラント制御装置１の操作、保守情報や運転状態の収集、蓄積等を実施するものである。
【００２７】
デバイス切替装置６は、プラント制御装置１と保守端末２間のデータの送受信を行う通信手段５Ａ、社内情報端末１０と保守端末２間で社内ネットワーク９を介してデータの送受信を行うネットワーク通信手段５Ｃ、プラント制御装置１の異常を検出する制御装置異常検出手段４、および、プラント制御装置１の異常検出時、プラント制御装置１と保守端末２間を社内ネットワーク９を介して接続する切替手段３から構成される。
制御装置異常検出手段４は、プラント制御装置１から接点出力により、プラント制御装置１の異常を検出する。切替手段３は、制御装置異常検出手段４がプラント制御装置１の異常を検出すると、通信手段５Ａのプラント制御装置１との通信路接続端、および、保守端末２との通信路接続端を物理的に切離し、ネットワーク通信手段５Ｃの社内ネットワーク９との通信路接続端、および、保守端末２との通信路接続端を物理的に接続する。
【００２８】
次に、動作について説明する。
保守端末２は、プラント制御装置１の通常運転時、プラント制御装置１と保守端末２間で通信手段５Ａを介して物理的に接続され、プラント制御装置１の操作、保守情報や運転状態の収集、蓄積等を実施するために使用する。
また、プラント制御装置１の通常運転時、社内情報端末１０と保守端末２間は、ネットワーク通信手段５Ｃを介した接続はされておらず、物理的に切断されている。
【００２９】
プラント制御装置１に異常が発生すると、プラント制御装置１の接点出力により、制御装置異常検出手段４は異常を検出する。制御装置異常検出手段４がプラント制御装置１の異常を検出すると、切替手段３が、通信手段５Ａのプラント制御装置１との通信路接続端、および、保守端末２との通信路接続端を物理的に切離す。同時に、切替手段３が、ネットワーク通信手段５Ｃの社内ネットワーク９との通信路接続端、および、保守端末２との通信路接続端を接続する。
【００３０】
保守端末２はプラント制御装置１と物理的に切離されているため、保守端末２上に蓄積された異常発生直前までの運転状態の記録等を保守端末２に保存できるようになる。同時に、社内情報端末１０と保守端末２間は、ネットワーク通信手段５Ｃを介して接続され、保守端末２上に保存された記録を社内情報端末１０から参照できるようになることにより、現場へ行かずとも社内情報端末１０から現地保守員が社内ネットワーク９を介して事務所等から、異常発生原因の調査、解析等の保守作業を効率的に実施できるようになる。
【００３１】
この発明による実施の形態３によれば、実施の形態１における構成おいて、前記プラント制御装置１と前記保守端末２間のデータの送受信を行う通信手段５Ａからなる第１の通信手段と、社内ネットワーク９を介して社内情報端末１０等の所定の通信先と保守端末２間のデータの送受信を行うネットワーク通信手段５Ｃからなる第２の通信手段と、前記第１の通信手段および第２の通信手段を切離す切替手段を有し、通常運転時において前記保守端末２は前記切替手段３による前記ネットワーク通信手段５Ｃからなる第２の通信手段の切離しにより前記社内情報端末１０等の所定の通信先とは物理的に切離された状態で前記プラント制御装置１のみと接続されてデータの送受信を行い、前記プラント制御装置１の異常を検出すると、前記切替手段３による前記通信手段５Ａからなる第１の通信手段の切離しにより前記保守端末２と前記プラント制御装置１を物理的に切離し、前記保守端末２と前記社内情報端末１０等の所定の通信先を接続するように切替えるようにしたので、プラント制御装置と保守端末との通信手段を介して行われる外部との通信接続を更に的確に切断しセキュリティを確保できるプラント制御装置の保守システムを得ることができる。
【００３２】
実施の形態４．
この発明による実施の形態４を図４について説明する。図４は実施の形態４における保守端末デバイスの構成を示す機能ブロック図である。
この実施の形態４において、ここで説明する特有の構成以外の構成については、先に説明した実施の形態１における構成と同一の構成内容を具備し、同様の作用を奏するものである。図中、同一符号は同一または相当部分を示す。
【００３３】
前記実施の形態２では、プラント制御装置、保守端末、および、保守センタの構成について、対象プラント制御装置が１台の場合について述べたが、実施の形態４では、複数のプラント制御装置それぞれに対して、プラント制御装置と保守端末間、保守センタと保守端末間を切替えることができ、複数のプラント制御装置に対して、効率的に異常発生原因の調査、解析等の保守作業を実施できる。
【００３４】
図４において、プラントの運転制御を行うプラント制御装置１Ａ、１Ｂは、複数台存在する。図４ではプラント制御装置１Ａ、１Ｂは２台であるが、３台以上も同様である。
保守端末２は、プラントの運転制御を行うプラント制御装置１Ａ、１Ｂの操作、保守情報や運転状態の収集、蓄積等を実施するものである。
【００３５】
デバイス切替装置６は、各プラント制御装置１Ａ、１Ｂと保守端末２間のデータの送受信を行う通信手段５Ａ、保守センタ８と保守端末２間で公衆回線７を介してデータの送受信を行う公衆回線通信手段５Ｂ、各プラント制御装置１Ａ、１Ｂの異常を検出する各制御装置異常検出手段４、および、各プラント制御装置１Ａ、１Ｂの異常検出時、各プラント制御装置１Ａ、１Ｂと保守端末２間のデータの送受信を物理的に切離し、保守センタ８と保守端末２間を公衆回線７を介して接続する各切替手段３から構成される。
各制御装置異常検出手段４は、各プラント制御装置１Ａ、１Ｂから接点出力により、各プラント制御装置１Ａ、１Ｂの異常を検出する。
各切替手段３は、各制御装置異常検出手段４が各プラント制御装置１Ａ、１Ｂの異常を検出すると、通信手段５Ａの各プラント制御装置１Ａ、１Ｂとの通信路接続端、および、保守端末２との通信路接続端を物理的に切離し、公衆回線通信手段５Ｂの公衆回線７との通信路接続端、および、保守端末２との通信路接続端を物理的に接続する。
【００３６】
次に、動作について説明する。
保守端末２は、各プラント制御装置１Ａ、１Ｂの通常運転時、各プラント制御装置１Ａ、１Ｂと保守端末２間で通信手段５Ａを介して物理的に接続され、各プラント制御装置１の操作、保守情報や運転状態の収集、蓄積等を実施するために使用する。
また、各プラント制御装置１Ａ、１Ｂの通常運転時、保守センタ８と保守端末２間は、公衆回線通信手段５Ｂを介した接続はされておらず、物理的に切断されている。
【００３７】
いずれかのプラント制御装置１Ａ、１Ｂに異常が発生すると、プラント制御装置１Ａまたは１Ｂの接点出力により、制御装置異常検出手段４は異常を検出する。制御装置異常検出手段４がプラント制御装置１Ａまたは１Ｂの異常を検出すると、切替手段３が、通信手段５Ａの全てのプラント制御装置１Ａ、１Ｂとの通信路接続端、および、保守端末２との通信路接続端を物理的に切離す。同時に、切替手段３が、公衆回線通信手段５Ｂの公衆回線７との通信路接続端、および、保守端末２との通信路接続端を接続する。
【００３８】
保守端末２は全てのプラント制御装置１Ａ、１Ｂと物理的に切離されているため、保守端末２上に蓄積された異常発生直前までの運転状態の記録等を保守端末２において保存できるようになる。同時に、保守センタ８と保守端末２間は、公衆回線通信手段５Ｂを介して接続され、保守端末２上に保存された記録を保守センタ８から参照できるようになることにより、現地プラントへ行かずとも保守センタ８からメーカ保守員が、異常発生原因の調査、解析等の保守作業を効率的に実施できるようになる。また、複数のプラント制御装置１Ａ、１Ｂに対しても、公衆回線１回線、保守端末１台で効率的に保守作業を行うことができる。
【００３９】
この発明による実施の形態４によれば、実施の形態１における構成において、複数のプラント制御装置１Ａ、１Ｂの保守を行う保守端末２を備えたものにおいて、前記複数のプラント制御装置１Ａ、１Ｂと前記保守端末２間のデータの送受信を行う通信手段５Ａからなる第１の通信手段と、公衆回線を介して保守センタ等の所定の通信先と保守端末２間のデータの送受信を行う公衆回線通信手段５Ｂからなる第２の通信手段と、前記第１の通信手段および第２の通信手段を切離す切替手段３を有し、通常運転時において前記保守端末２は前記切替手段３による前記公衆回線通信手段５Ｂからなる第２の通信手段の切離しにより前記保守センタ等の所定の通信先とは物理的に切離された状態で前記プラント制御装置１Ａ、１Ｂのみと接続されてデータの送受信を行い、前記複数のプラント制御装置１Ａ、１Ｂのいずれかにおける異常を検出すると、前記切替手段３による前記通信手段５Ａからなる第１の通信手段の切離しにより前記保守端末２と前記複数のプラント制御装置１Ａ、１Ｂを物理的に切離し、前記保守端末２と前記保守センタ等の所定の通信先を接続するように切替えるので、複数のプラント制御装置と保守端末との通信手段を介して行われる外部との通信接続をより的確に切断しセキュリティを確保できるプラント制御装置の保守システムを得ることができる。
【００４０】
【発明の効果】
この発明によれば、プラント制御装置と保守端末との通信手段を介して行われる外部との通信接続を的確に切断しセキュリティを確保することができる。
【図面の簡単な説明】
【図１】この発明による実施の形態１におけるプラント制御装置の保守システムの構成を示す機能ブロック図である。
【図２】この発明による実施の形態２におけるプラント制御装置の保守システムの構成を示す機能ブロック図である。
【図３】この発明による実施の形態３におけるプラント制御装置の保守システムの構成を示す機能ブロック図である。
【図４】この発明による実施の形態４におけるプラント制御装置の保守システムの構成を示す機能ブロック図である。
【符号の説明】
１  プラント制御装置、２  保守端末、３  切替手段、４  制御装置異常検出手段、５、５Ａ  通信手段、５Ｂ  公衆回線通信手段、５Ｃ  ネットワーク通信手段、６  デバイス切替装置、７  公衆回線、８  保守センタ、９  社内ネットワーク、１０  社内情報端末。
【図１】
2004326372.tif 000003
【図２】
2004326372.tif 000004
【図３】
2004326372.tif 000005
【図４】
2004326372.tif 000006